(57)【要約】  本発明はタイムピース用のムーブメントに関し、該ムーブメントは、筐体（10、12）；動力源；前記動力源によって駆動される輪列（14）；第一の回転軸（AA）を中心として回転可能に前記枠（10、12）に取り付けられ、前記輪列（14）によって駆動されるトゥールビヨン（18）用の籠（26）；前記籠（26）に振動するように軸受を介して取り付けられた天府（32）；並びに固定された車（16）と、前記天府（32）及び該固定された車（16）と係合して該天府（32）を維持する制御部材（34）とを有する脱進機（16、34）を有する。このムーブメントにおいては、前記第一の回転軸（AA）に対して傾斜している第二の回転軸（BB）を中心として前記天府（32）が振動するように、前記軸受が配置されている。【選択図】          図１
2010523957.tif 000002
【特許請求の範囲】
【請求項１】
・枠（10、12）、
・動力源、
・前記動力源によって駆動される輪列（14）、
・第一の回転軸（AA）を中心として回転可能に前記枠（10、12）に取り付けられ、前記輪列（14）によって駆動されるトゥールビヨン（18）の籠（26）、
・前記籠（26）に振動可能に軸受を介して取り付けられた天府（32）、並びに
・固定された車（16）と、前記天府（32）及び前記固定された車（16）と係合して該天府（32）を維持する制御部材（34）とを有する脱進機（16、34）
を有するタイムピースムーブメントであって、
前記第一の回転軸（AA）に対して傾斜している第二の回転軸（BB）を中心として前記天府（32）が振動するように、前記軸受が配置されていることを特徴とするムーブメント。
【請求項２】
前記２本の回転軸の間の傾斜角度が15°〜50°であることを特徴とする、請求項１に記載のムーブメント。
【請求項３】
前記脱進機がレバー型であることを特徴とする、請求項１及び２のいずれか一項に記載のムーブメント。
【請求項４】
前記固定されたガンギ車（16）が外側に歯部を有する型のものであることを特徴とする、請求項１〜３のいずれか一項に記載のムーブメント。
【請求項５】
前記トゥールビヨン（18）の前記籠（26）が、その端部に配設された２つの軸受（44、46）に接して回転することを特徴とする、請求項１〜４のいずれか一項に記載のムーブメント。
【請求項６】
前記ムーブメントがトゥールビヨンの２つの籠を有し、第一の籠が第二の籠の上に枢軸回動可能に取り付けられ、前記固定された車（16）が該第二の籠に取り付けられ、前記天府が前記第一の籠の内部で振動し、該第一の籠の回転軸が該天府の枢軸に対して傾斜していることを特徴とする、請求項１〜５のいずれか一項に記載のムーブメント。
【発明の詳細な説明】
【技術分野】
【０００１】
本発明はタイムピース用のトゥールビヨンムーブメントに関する。このようなムーブメントは当業者によってよく知られている。トゥールビヨンはタイムピースの正確さを向上させるのを可能にする装置である。トゥールビヨンは、タイムピースの枠に回転可能に取り付けられた籠と、該籠の中で振動するように取り付けられた天府とを有する。天府の振動運動は、やはり前記籠に搭載された脱進機によって通常維持される。籠は輪列によって回転駆動され、該輪列の最後の車が、籠に固定されているカナと咬合している。籠に搭載されているガンギ車は固定されている車と咬合する。
【背景技術】
【０００２】
時計工の中には所謂高速トゥールビヨンを開発してきた職人達がおり、このようなトゥールビヨンにおいては、アンクルのみが籠の中に配置され、ガンギ車はムーブメントの枠に固定されている。このような問題解決法は、エール．・メイ（R. Meis）による「トゥールビヨン（Le Tourbillon）」と題された本（ISBN No. 2-58917-097-8）に記載されている。
【０００３】
このような装置はほんの少しの独特なタイムピースの対象であった。トゥールビヨンの全慣性は大きく低減されるが、それでも、製造上の理由によりこの慣性はかなり大きく、固定されたガンギ車に約12よりも多い歯を設けることをイメージするのは難しい。これは、例えば天府が３Hzで振動すると、籠は４秒で１回転しなければならないような速度である。
【０００４】
さらに、例えば、WO 2007/033513、WO 2005/043257、WO 03/017009及びEP 1 564 608に記載されているようなトゥールビヨン型の装置も知られている。しかしながら、これらの装置においては、アンクルに接続されているガンギ車がトゥールビヨンの籠に枢軸回転可能に取り付けられている。したがって、これらの文献は、ガンギ車が固定されている装置に係る問題を解決するためには、考慮に入れることができない。
【先行技術文献】
【特許文献】
【０００５】
【特許文献１】WO 2007/033513
【特許文献２】WO 2005/043257
【特許文献３】WO 03/017009
【特許文献４】EP 1 564 608
【非特許文献】
【０００６】
【非特許文献１】トゥールビヨン（Le Tourbillon）（ISBN No. 2-58917-097-8）、エール．・メイ（R. Meis）著
【発明の概要】
【発明が解決しようとする課題】
【０００７】
本発明は、特に、籠の回転速度が低減された、固定されたガンギ車を有するトゥールビヨンタイムピースを実現することを目的とする。
【課題を解決するための手段】
【０００８】
本発明によるタイムピースは、
・枠、
・動力源、
・前記動力源によって駆動される輪列、
・第一の回転軸を中心として回転可能に前記枠に取り付けられ、前記輪列によって駆動されるトゥールビヨンの籠、
・前記籠に振動可能に軸受を介して取り付けられた天府、並びに
・固定されたガンギ車と、前記天府及び前記固定された車と係合して該天府を維持する制御部材とを有する脱進機
を有する。
【０００９】
本発明によるタイムピースは、前記第一の回転軸に対して傾斜している第二の回転軸を中心として前記天府が振動するように、前記天府の軸受が配置されていることによって特徴付けられる。このようにして、籠の全慣性を増加させることなく、脱進機の制御部材に比較的長いレバーを設けることが可能になる。このことによって、固定されたガンギ車の歯数を増やし、籠の回転速度を低減することができる。
【００１０】
さらに、
・傾斜角度が15°〜50°であり、
・脱進機がレバー型であり、
・ガンギ車が外側に歯部を有する型のものであると
効果的である。
【００１１】
本発明の他の特徴は、添付の図面を参照してなされる、以下の記載を読むことによってより明確になるであろう。
【図面の簡単な説明】
【００１２】
【図１】本発明によるタイムピースムーブメントの一部を示す断面線図である。
【発明を実施するための形態】
【００１３】
図示されているタイムピースの部分は、特に
・地板10とトゥールビヨン受12とを有する枠、
・車14のみが見えている調速輪列、
・前記地板10に強固に取り付けられている固定されたガンギ車16、及び
・一方が前記地板10に固定されており、他方が前記トゥールビヨン受12に固定されている２つの軸受20と22との間に回転可能に取り付けられており、前記地板10の面に垂直な回転軸AAを中心として回転可能なトゥールビヨン18
を有している。
【００１４】
前記トゥールビヨン12は、複数の柱30（図面においては複数の柱の内の１本のみが見えている）によって相互に接続された２つの部分26と28とによって作られた籠24と、枢軸回動可能に該籠24に取り付けられた天府32及びアンクル34とを有している。
【００１５】
前記２つの部分26と28とは、それぞれ符号36と38とを賦された軸部分と、それぞれ符号40と42とを賦された板部材とを有している。２つの軸部分36と38とは、それぞれピボット軸36aと38aとを備えている。さらに、軸部分38は、前記車14と係合するカナ38bをなしている。
【００１６】
前記軸部分36と板部材40とは一体に回転するように相互に接続されている。この板部材は該軸部分に対して約60°の角度で傾斜している。この板部材には孔が形成されており、図示されていない天府軸受は、従来からほぞ穴に埋められている。また、天府軸受は、従来から、天府32の軸の一方を受けている。
【００１７】
前記軸部分38と板部材42とは一体に回転するように相互に接続されている。この板部材は、該軸部分38に対して傾斜すると共に前記板部材40と平行である第一部分42aと、該軸部分38の中心軸線に対して垂直に配された第二部分42bとを有している。該第一部分42aには、前記板部材40に設けられた孔と一直線上に並ぶように孔が形成され、該孔は天府32の第二の軸受をなし、これら２つの天府軸受によって天府32の枢軸BBが形成される。第二部分42bにはもう１つの孔が形成され、この孔にはアンクル34の軸受をなす受石44が埋設される。アンクルは、さらに、受48によって支持される第二の受石46にも軸支されて枢軸回動する。該受48は、破線によって示されている螺子を用いて、前記第二部分42bに固定されている。
【００１８】
アンクル34は前記軸受44と46とに枢軸回動可能に取り付けられるアンクル真50を有し、該アンクル真の中心軸線は前記回転軸AAに平行である。アンクル真50は、該アンクル真に強固に固定された、２つの爪52aとそれらの支持体部52b、及びアンクルさお54によって形成された部材52を有している。この部材52は、前記回転軸AAに垂直な平面内に実質的に設けられている。その２つの爪52aは、前記固定された車16と係合している。
【００１９】
アンクルさお54は、アンクル真50に係合する部分54aと、前記板部材40及び板部材42の第二部分42bにほぼ平行な方向に傾斜した尾状部分54bとを有している。尾状部分は天府32の近傍にまで延在し、天府32の軸と一体に回動する板体56を介して天府32に動力を伝えている。
【００２０】
アンクルさおが傾斜しているという事実によって、天府のある振り角に対して、アンクルが比較的小さな角度だけ回動すればよいように、アンクルさおの長さを長くすることができる。このようにして、１回転当たりの歯数を多くすることができ、トゥールビヨンの回転速度を小さくすることができる。この構造によると、30本の歯を有する車を実現することが可能であり、このような歯車は３Hzで振動する天府の場合、トゥールビヨンを10秒で１回転させることができる。
【００２１】
ここまで記載してきた態様においては、アンクルは籠の回転軸に平行な回転軸を枢軸として回動する。また、天府の回動枢軸に平行な回転軸を枢軸とするアンクルを用いることも可能である。この場合、固定されているガンギ車は、頭部を切断した円錐に設けられた歯部を有していると効果的である。
【００２２】
以上に記載した両態様において、内側歯部を有する固定ガンギ車を使用することも可能であり、すると、アンクルの爪は外側に向けられる。
【００２３】
他の型の脱進機も使用することができる。このように、籠の回転軸に対して天府を傾斜させることによって、他の態様も可能にすることができる。天府の重心が籠の回転軸上に実質的にある場合であっても、天府の板体をこの回転軸から大きく外した位置に設けた構造体を作ることも可能である。
【００２４】
このような型の配置によると、少なくとも１つおきの振動力が、アンクルを通じずに直接的に天府に与えられる脱進機を使用することも可能である。この場合、アンクルは天府に取り付けられた制御部材に置換され、該制御部材は天府が振動力を受けるときにトゥールビヨンを解放する。
【００２５】
シリンダー脱進機などの直進脱進機を使用することさえ可能である。この場合、天府に接続される制御部材がシリンダーによって形成される。
【００２６】
ここまで記載してきたトゥールビヨンは、その軸方向の両端に配された２つの軸受に接して回転する。同じ原理をはずみ車型のトゥールビヨンにも適用することができるのは、非常に明らかである。
【００２７】
図示されていない他の変形例においては、第一の籠が第二の籠の上に枢軸回動可能に取り付けられる、２つのトゥールビヨン籠をムーブメントが有することができる。そして、固定された車16は第二の籠に取り付けられる。この場合、天府がその内部で振動する第一の籠の回転軸は、天府の枢軸に対して傾斜する。
【００２８】
このように、天府が振動するように内部に取り付けられている籠の回転軸に対して天府が傾斜しているという事実によって、携帯時計の精度を向上させつつ、ガンギ車が固定され、トゥールビヨン籠が合理的な速度で回転するトゥールビヨンを実現することができる。
【図１】
2010523957.tif 000003
【手続補正書】
【提出日】平成21年12月7日(2009.12.7)
【手続補正１】
【補正対象書類名】特許請求の範囲
【補正対象項目名】請求項１
【補正方法】変更
【補正の内容】
【請求項１】
・枠（10、12）、
・動力源、
・前記動力源によって駆動される輪列（14）、
・第一の回転軸（AA）を中心として回転可能に前記枠（10、12）に取り付けられ、前記輪列（14）によって駆動されるトゥールビヨン（18）の籠（26）、
・前記籠（26）に振動可能に軸受を介して取り付けられた天府（32）、並びに
・固定されたガンギ車（16）と、前記天府（32）及び前記固定されたガンギ車（16）と係合して該天府（32）を維持する制御部材（34）とを有する脱進機（16、34）
を有するタイムピースムーブメントであって、
前記第一の回転軸（AA）に対して傾斜している第二の回転軸（BB）を中心として前記天府（32）が振動するように、前記軸受が配置されていることを特徴とするムーブメント。
【手続補正２】
【補正対象書類名】特許請求の範囲
【補正対象項目名】請求項６
【補正方法】変更
【補正の内容】
【請求項６】
前記ムーブメントがトゥールビヨンの２つの籠を有し、第一の籠が第二の籠の上に枢軸回動可能に取り付けられ、前記固定されたガンギ車（16）が該第二の籠に取り付けられ、前記天府が前記第一の籠の内部で振動し、該第一の籠の回転軸が該天府の枢軸に対して傾斜していることを特徴とする、請求項１〜５のいずれか一項に記載のムーブメント。
【国際調査報告】
2010523957.tif 000004
2010523957.tif 000005
2010523957.tif 000006
2010523957.tif 000007
2010523957.tif 000008
2010523957.tif 000009